(57)【要約】      （修正有）【課題】一般家庭や事務所で簡単便利にだれでも使えるパソコン電話を開発する。【解決手段】電話、ファックス、インターネット、メール、（これを通信と記す）を一つの相手先にまとめて登録し一覧表とする。電話等の通信使用の時瞬時に立ち上がって使用状態にするため、電源をパソコンと通信に分けて通信は常時待機状態で入れておくか、または通信待機の状態でパソコンを常時生かしておく。受話器にスイッチを付け、受話器を取り上げると通信状態になる。【選択図】図１
2005160004.tif 000002
【特許請求の範囲】
【請求項１】
有線電話回線または携帯電話または光ファイバーケーブル（以下本文では携帯電話、または有線電話回線または光ファイバーケーブルを通信と記す）をパソコンに接続すること。
通信に関する表示はパソコン画面によるものとし、通信に関する操作はパソコンのキーボードによるものとすること。
パソコンはそれぞれ単独に入り切り出来る電源系を２系統以上持ち、パソコンの機能を持つ部分の電源と通信の機能を持つ電源を単独に入り切りする機能を持ち、通信を使用する状態になった場合、通信のための画面は５秒以内で表示を行い、キーボードも同様に５秒以内で通信のための操作が出来る機能を持つこと。
上記の項目を全て持つことを特徴とする、パソコン電話
【請求項２】
通信をパソコンに接続し、通信に関する表示をパソコン画面によるものとし、通信に関する操作はパソコンのキーボードによるものとすること。
パソコンはパソコンとしても通信としても使用しない時、画面は消えてパソコンは省電力で待機し、通信を使用する状態になった場合、通信のための画面は５秒以内で表示を行い、キーボードも同様に５秒以内で通信のための操作が出来る機能を持つこと。
上記の項目を全て持つことを特徴とする、パソコン電話
【請求項３】
図２に示すようにマイク（３）を棒の先端に取り付けこの棒をパソコンの溝に収納できる構造をもつことを特徴とする、パソコン電話
【請求項４】
受話器を置く台または受話器にスイッチがあり、受話器を取り上げた場合および外部から電話が掛かった時自動的に電話の画面表示となり、キーボードは電話の操作に切り替わることを特徴とする、パソコン電話
【請求項５】
電話を当方から掛ける場合に、受話器を置く台または受話器に取り付けられたスイッチまたはキーボードによって、パソコンが電話を当方から掛けることを検知し、画面表示を電話の相手先の一覧表とすること。
相手先の名前の前には短縮番号がありキーボードで短縮番号を入力することが出来るほかマウスによって相手先を選択出来ること。
相手先の一覧表の一部に電話、ファックス、インターネット、メール、の項がありこれをキーボードまたはマウスで指示することにより、相手になにを送るかを選択出来ること。
上記の一覧表の相手先に対して電話、インターネット、の番号および、メール、ファックス、のアドレスを登録すること。
別の画面で相手先の電話、ファックス、の番号、インターネット、メールのアドレスが登録できるとともに表示できること。
以上の項目を全て使用したことを特徴とする、パソコン電話
【発明の詳細な説明】
【技術分野】
【０００１】  本発明は、パソコンと電話、ファックス、インターネット、メール、（以下本文ではこれらを通信と記す）を一つに合体したものの内、通信の使用が卓上の通信手段と同じ簡単な操作性と便利さを持つパソコン電話（または通信）に関するものである。
【背景技術】
【０００２】  パソコンと電話を組み合わせた発明は１０００を越えるほど多いが、目的が特殊なものに限られていた。
例えば通話内容を録音するもの、相手先の所在管理を行うもの、多数の相手をパソコンで管理するもの、等である。
【特許文献】特開平１０−０４２０６４  特開平１１−０７５２２８  特開２００１−２３０８７９  特開２００３−２８３６６６
【発明の開示】
【発明が解決しようとする課題】
【０００３】  解決しようとする問題点は、従来の特殊な目的のパソコン電話を一般的な会社や個人にまで広げようとする時、使用の簡単便利なことを目的に開発する点である。
【課題を解決使用とする課題】
【０００４】  本発明はパソコンと通信を一体化したことによりパソコンの持つ起動時間の長さを通信にかぎって瞬時のものとし、通信を付加してもパソコン本来の機能を持ち、さらに通信に切り替わった場合、ただちに受信と送信が出来るとともに自動的に相手先の一覧表が出て受信の場合相手を表示し、送信の場合相手先を選択しさらに通信の種類（電話、ファックス、インターネット、メール）が選択できるようにすることを主要な特徴とする。
また、電話番号やアドレス等が登録し易く通常は相手先の名前だけで通信できること、パソコンと通信が同時に使用出来ること、受話器にスイッチを取り付け、これを取り上げた場合は電話画面になり、置けばパソコンまたは電話の待機状態になり、受話器をひっくり返して置けば電話が継続することを主要な特徴とする。
【発明の効果】
【０００５】  本発明のパソコン電話は特殊な用途ではなく、一般的な家庭や個人、事務所等で広く使用出来るという利点がある。
従来机の上にパソコン、電話、各種の電話番号簿、等が置いてあったものが、パソコンだけ置くようになる。
携帯電話は事務所で使うには小さすぎて不便であるため携帯電話のほかに通常の電話を事務所や一般家庭で使用している。
これも携帯電話を通信手段に使えば一般電話以上の使い良さと外出時の持ち歩き、パソコン使用で両方の役にたつ。
【発明を実施するための最良の形態】
【０００６】  従来パソコンは電源系が一つでプログラムの立ち上がりに掛かる時間も全部同じであった。
本発明ではこれを２系統に分け通信の応答時間を短くしている。
パソコンの機能を持つ部分の電源を切っても通信の機能を持つ部分の電源は入った状態を維持し、画面表示を消して省電力の状態で通信の送受信を待機する。
通信が使用状態になったときはただちに画面表示が復帰しキーボードも電話用に切り替わる。
すでに古いパソコンを使用しているためこれを使用したい場合は同様な性能をソフトで実現する。
このためパソコンは常時電源を入りにしておき、なにも使用しないときは通信の待機を行う。
電話に切り替わった場合、自動的に相手先の一覧表が出て、これを選択することが出来るとともに、この相手先に対して電話、ファックス、インターネット、メール等が選択できる。
ファックス、インターネット、メール、等についてはそれぞれのシステムを従来通り使用開始するかまたは受信すると自動的に相手先の一覧表が出る。【０００７】  また、長時間通信が続くと通信を切る予告を画面に出した後一定時間後に通信の待機状態に戻る。
さらに、通信の最中でもパソコンとして機能出来るようにする。
ソフト以外の特徴として細い棒状の先にマイクを付けたり、受話器を取り上げるとパソコンが電話器になり、置くとパソコンまたは電話の待機状態になるためのスイッチを設ける等の工夫がある。
受話器をひっくり返して置けば電話中となる。
【実施例１】
【０００８】  本発明は回路のようなものではなく、パソコンや複雑な電子装置にありがちなプログラム、あるいは機能のようなものの集合である。
図１は本発明の実施例であって、パソコン１にイヤホーン２とマイク３が取り付けてある。
この他パソコン１には通信回線が接続される。
イヤホーン２およびマイク３のどこかにスイッチが接続されていて、イヤホーン２およびマイク３を置いた時は電話が切れ、取り上げた時はパソコン１が電話器になる。【０００９】  図２は本発明の実施例であって、パソコン１にイヤホーン２と棒状のマイク３が取り付けてある。
通信回線が接続とイヤホーン２またはマイク３のどこかにスイッチが接続されていることは図１の例と同じである。【００１０】  図３は本発明の実施例であって、パソコン１が通信器になった時初めに表示される表の例である。
この図において上の行は電話、ファクス、インターネット、メール、の内どれで通信するかを決めるもので、なにも選択しなければ電話が選択される。
通信中にパソコンを選択すると通信中にパソコンとして使用できる。
初めにＡＢＣ社と記入してある表は相手先の一覧表であり、ここに記入された相手先をマウスでクリックしたり、短縮番号をキーボードで入力したり、矢印の操作をして選択すると選択されたことを示す印が点滅する。【００１１】本文の中で各種の選択が行われるが、選択された項目はすべて選択されたことを示す印が点滅する。
上記の二つの操作は前後してもかまわない。
この二つの操作により自動的に電話番号またはアドレスが送信され相手に接続される。
最下段の終了をクリックすると図１のイヤホーン２マイク３を置いた状態となり通信が切れる。【００１２】  図３の下の行は通信の番号またはアドレスを登録する時その種類を選択するもので一例として電話をクリックすると図４のような表が画面に現れる。
そこで相手先を選択し電話番号をキーボードで入力すると下の行の入力電話番号の次に入力した電話番号が表示され、エンターを押すと例えば（ＡＢＣ社は０８２−８９０−０１５５に登録しました）と表示される。
終了をクリックすると電話登録が終了し図４の代わりに図３が表示される。
ファックス、インターネット、メール、の送信や番号等の登録もほぼ同様である。
【産業上の利用可能性】
【００１３】  一般的な会社や個人で利用して、机の上に通常電話と携帯電話パソコンと各種の番号簿を置く不便をなくし、パソコンで全てを行う。
特に出張先での事務処理に利用できる。
【図面の簡単な説明】
【００１４】
【図１】パソコン電話の実施方法を示した説明図である。（実施例１）
【図２】パソコン電話の実施方法を示した説明図である。（実施例２）
【図３】パソコンが通信器になった時初めに表示される表である。（実施例３）
【図４】パソコンが相手先の番号を登録するときの表である。（実施例４）
【符号の説明】
【００１５】１    パソコン
２    イヤホーン
３    マイク
【図１】
2005160004.tif 000003
【図２】
2005160004.tif 000004
【図３】
2005160004.tif 000005
【図４】
2005160004.tif 000006